(57)【要約】      （修正有）【課題】バストカップ部を所望の立体形状に形成することができるとともに、部品点数を減少させる。【解決手段】女性用衣料のうち、少なくとも左右のバストカップ部２、３をそれぞれ構成する身頃体を、前記女性用衣料を着用した左右のバストの乳頭部４０近傍を通る所定の分割線２４、２５によって複数に分割し、前記分割線によって分割された複数の身頃体の対向する端縁部の長さを、一方の身頃体と他方の身頃体とで少なくとも部分的に異ならせ、前記複数に分割された身頃体の対向する端縁部を互いに接合して、前記左右のバストカップ部をそれぞれ構成する際に、前記身頃体の長さが長く設定された端縁部の部分を、長さが短くなるように押し込んだ状態で接合することにより、前記身頃体の長さが長く設定された端縁部の部分を三次元形状に湾曲した形状に形成した。【選択図】図１
2010138521.tif 000002
【特許請求の範囲】
【請求項１】
女性の左右のバストにそれぞれ装着する左右のバストカップ部を有する女性用衣料において、
前記女性用衣料のうち、少なくとも前記左右のバストカップ部をそれぞれ構成する身頃体を、前記女性用衣料を着用した左右のバストの乳頭部近傍を通る所定の分割線によって複数に分割し、前記分割線によって分割された複数の身頃体の対向する端縁部の長さを、一方の身頃体と他方の身頃体とで少なくとも部分的に異ならせ、前記複数に分割された身頃体の対向する端縁部を互いに接合して、前記左右のバストカップ部をそれぞれ構成する際に、前記身頃体の長さが長く設定された端縁部の部分を、長さが短くなるように押し込んだ状態で接合することにより、前記身頃体の長さが長く設定された端縁部の部分を三次元形状に湾曲した形状に形成したことを特徴とするバストカップ部を有する女性用衣料。
【請求項２】
前記女性用衣料を構成する身頃体は、女性の体の前面側に位置する前面側の身頃体と、女性の体の背面側に位置する背面側の身頃体の少なくとも２つの身頃体に分割されていることを特徴とする請求項１に記載のバストカップ部を有する女性用衣料。
【請求項３】
女性の左右のバストにそれぞれ装着する左右のバストカップ部を有する女性用衣料において、
女性の体の胸部外周を覆うとともに、前記左右のバストカップ部を構成する身頃体を備え、
前記左右のバストカップ部を構成する身頃体を、前記女性用衣料を着用した左右のバストの乳頭部よりも女性の体の前中央部寄りに位置する当該身頃体の下辺部から、前記乳頭部を通り略水平方向に人体の体側部へと延びた２本の分割線によって、前面側の身頃体と背面側の身頃体とからなる少なくとも２つの身頃体に分割するとともに、前記左右のバストカップ部に位置する前面側の身頃体と背面側の身頃体の分割線の長さを、前記前面側の身頃体の方が前記背面側の身頃体よりも長くなるように設定し、前記前面側の身頃体と背面側の身頃体の分割線によって分割された対向縁同士を接合することにより、前記左右のバストカップ部を女性の左右のバストに適合した三次元形状に形成したことを特徴とするバストカップ部を有する女性用衣料。
【請求項４】
前記左右のバストカップ部に位置する前面側の身頃体と背面側の身頃体の分割線の長さを、前記前面側の身頃体の方が前記背面側の身頃体よりも３％以上長くなるように設定したことを特徴とする請求項１乃至３のいずれかに記載のバストカップ部を有する女性用衣料。
【請求項５】
前記３％以上長くなるように設定された分割線の領域を、左右のバストカップ部の乳頭部近傍に配分し、他の領域は前記左右のバストカップ部に位置する前面側の身頃体と背面側の身頃体の分割線の長さを、略等しく設定したことを特徴とする請求項４に記載のバストカップ部を有する女性用衣料。
【請求項６】
前記前面側の身頃体及び背面側の身頃体は、女性の立位姿勢において、女性の前面側及び背面側を垂直に通る中心線によって、それぞれ左右の身頃体に分割されていることを特徴とする請求項１乃至５のいずれかに記載のバストカップ部を有する女性用衣料。
【請求項７】
前記背面側の身頃体の裏面には、左右のバストカップ部の体側部寄りに位置する領域に、左右のバストを女性の体の前中央部寄りに移動させる機能を果たす裏面構成部材を設けたことを特徴とする請求項１乃至６のいずれかに記載のバストカップ部を有する女性用衣料。
【請求項８】
前記背面側の身頃体の裏面には、左右のバストカップに対応した領域に、バスト形状を補正するパッドとしての機能を果たす裏面構成部材を設けたことを特徴とする請求項１乃至７のいずれかに記載のバストカップ部を有する女性用衣料。
【請求項９】
前記背面側の身頃体には、その裏面側に伸縮性を有する素材からなる裏当て部材が、前記左右のバストカップ部及び当該左右のバストカップ部の体側部寄り位置する領域にわたって、少なくとも当該裏当て部材の外周が前記背面側の身頃体に縫着又は接着された状態で設けられ、前記裏当て部材は、その人体胸部の周方向に沿った長さが、前記背面側の身頃体よりも短く設定されているとともに、その人体胸部の周方向と直交する方向に沿った長さが、前記背面側の身頃体よりも長く設定されており、前記裏当て部材の人体胸部の周方向に沿った収縮力によって、前記背面側の身頃体の前記左右のバストカップ部及び当該左右のバストカップ部の体側部寄り位置する領域が、人体骨格に沿って湾曲するように構成されていることを特徴とする請求項１乃至８のいずれかに記載のバストカップ部を有する女性用衣料。
【請求項１０】
前記背面側の身頃体の裏面側には、その左右のバストカップ部の体側部から女性の体の前中央部にかけて、順次低伸張部、中伸張部、高伸張部とした裏当て部材を設けたことを特徴とする請求項１乃至９のいずれかに記載のバストカップ部を有する女性用衣料。
【請求項１１】
前記前面側及び／又は背面側の身頃体は、少なくともその左右のバストカップ部を構成する部材が、表面層部と裏面層部とを中間中空層部を構成する連結糸で互いに接続した立体中空状の布地からなることを特徴とする請求項１乃至１０のいずれかに記載のバストカップ部を有する女性用衣料。
【請求項１２】
前記立体中空状の布地からなる背面側の身頃体の表面側には、その左右のバストカップ部の体側部から女性の体の前中央部にかけて、順次低伸張部、中伸張部、高伸張部とした裏当て部材を設けたことを特徴とする請求項１乃至１１のいずれかに記載のバストカップ部を有する女性用衣料。
【請求項１３】
前記背面側の身頃体には、人体の中央部寄りの端縁から前記バスト基底輪郭線下辺部領域を略三日月状に切り抜き前記切り抜きによって上下に分離した上下の端縁の上端縁をバスト下部で長さの長い分を下部端縁にいせ込むように縫着することによって人体湾曲形状に適応する身頃体並びにバストカップ部を三次元化した上、前記背面側の一枚構成である身頃体体側部に自然な流れで一体化させることを特徴とする請求項１乃至１２のいずれかに記載のバストカップ部を有する女性用衣料。
【請求項１４】
前記背面側の身頃体には、前記バストカップ部の体側部寄りに位置する面に、乳頭部に近づく程伸縮性が高くなるように、伸縮性を複数段にわたって異ならせた補正部材を裏面側に設けたことを特徴とする請求項１乃至１３のいずれかに記載のバストカップ部を有する女性用衣料。
【請求項１５】
前記背面側の身頃体には、バスト基底輪郭部に沿って補正用のボーンを配設したことを特徴とする請求項１乃至１４のいずれかに記載のバストカップ部を有する女性用衣料。
【発明の詳細な説明】
【技術分野】
【０００１】
この発明は、ブラジャーやキャミソール、スリップ等のバストカップ部を有する女性用衣料に関するものである。
【背景技術】
【０００２】
【特許文献１】特開平０８−２１０７７１号公報
【０００３】
従来、この種のバストカップを有する女性用衣料としてのブラジャーは、例えば、図３８に示すように、ジャガード面天竺等からなる上カップ布１０１と下カップ布１０２の裏面に、不織布等からなる上カップ及び下カップの裏当て布１０３、１０４を縫着するとともに、これら上カップ布１０１と下カップ布１０２とを、これらの縫い代を介して互いに縫着することによって、左右のバストカップが所定の立体形状に構成される。そして、このブラジャーは、上記の如く構成される左右のバストカップを、中央に位置するセンターパネル１０５で互いに連結するとともに、当該バストカップの下端部から体側部にかけてサイドパネル１０６を縫着することによって構成されている。
【０００４】
さらに、上記ブラジャーは、必要に応じて、左右のバストカップの下端縁に沿ってワイヤーボーンを縫着することにより、バストカップを所定の立体形状に形成して補正機能を持たせている。なお、ブラジャーに使用される保形用ボーンとして、本出願人は特許文献１に示すものを既に提案している。
【発明の開示】
【発明が解決しようとする課題】
【０００５】
しかしながら、上記従来技術の場合には、次のような問題点を有している。すなわち、上記従来のブラジャーの場合には、バストカップを所定の立体形状に形成するため、上カップ布１０１と下カップ布１０２の裏面に、上カップ及び下カップの裏当て布１０３、１０４を縫着するとともに、これら上カップ布１０１と下カップ布１０２とを、これらの縫い代を介して互いに縫着する必要があり、部品点数が多く、縫着工程が煩雑であって、縫着工程に熟練を要し、コストアップを招くという問題点を有していた。
【０００６】
また、上記従来のブラジャーの場合には、上カップ布１０１と下カップ布１０２のように、複数の布片を互いに縫着することによって、女性の三次元形状に湾曲したバストを覆うように構成したものであるが、バスト基底部は湾曲化しているという概念がなく、平板なバストカップ、平板な身頃体との接続から脱することができず、十分良好な着用感が得難いとともに、所望の立体形状に形成することが困難であるという問題点を有していた。
【０００７】
そこで、この発明は、上記従来技術の問題点を解決するためになされたものであり、その目的とするところは、バストカップ部を所望の立体形状に形成することができるとともに、部品点数を減少させるという利点を更にバスト補正力を高める利点へと進化させたバストカップ部を有する女性用衣料を提供することにある。
【課題を解決するための手段】
【０００８】
すなわち、請求項１に記載の発明は、女性の左右のバストにそれぞれ装着する左右のバストカップ部を有する女性用衣料において、
前記女性用衣料のうち、少なくとも前記左右のバストカップ部をそれぞれ構成する身頃体を、前記女性用衣料を着用した左右のバストの乳頭部近傍を通る所定の分割線によって複数に分割し、前記分割線によって分割された複数の身頃体の対向する端縁部の長さを、一方の身頃体と他方の身頃体とで少なくとも部分的に異ならせ、前記複数に分割された身頃体の対向する端縁部を互いに接合して、前記左右のバストカップ部をそれぞれ構成する際に、前記身頃体の長さが長く設定された端縁部の部分を、長さが短くなるように押し込んだ状態で接合することにより、前記身頃体の長さが長く設定された端縁部の部分を三次元形状に湾曲した形状に形成したことを特徴とするバストカップ部を有する女性用衣料である。
【０００９】
また、請求項２に記載の発明は、前記女性用衣料を構成する身頃体は、女性の体の前面側に位置する前面側の身頃体と、女性の体の背面側に位置する背面側の身頃体の少なくとも２つの身頃体に分割されていることを特徴とする請求項１に記載のバストカップ部を有する女性用衣料である。
【００１０】
また、前記背面側の身頃体は、必要に応じて、前記女性用衣料の背面に位置し、女性の体の縦方向に沿った中心線によって２つに分割するように構成しても良く、この場合には、バストカップ部を有する女性用衣料は、３つの身頃体によって構成される。
【００１１】
さらに、前記前面側の身頃体は、必要に応じて、前記女性用衣料の前面に位置し、女性の体の縦方向に沿った中心線によって２つに分割するように構成しても良く、この場合には、バストカップ部を有する女性用衣料は、３つの身頃体によって構成される。
【００１２】
又、前記背面側及び前面側の身頃体は、必要に応じて、前記女性用衣料の背面及び前面に位置し、女性の体の縦方向に沿った中心線によってそれぞれ２つに分割するように構成しても良く、この場合には、バストカップ部を有する女性用衣料は、４つの身頃体によって構成される。
【００１３】
なお、前記背面側及び前面側の身頃体は、必要に応じて、更に分割するように構成しても良い。
【００１４】
さらに、請求項３に記載の発明は、女性の左右のバストにそれぞれ装着する左右のバストカップ部を有する女性用衣料において、
女性の体の胸部外周を覆うとともに、前記左右のバストカップ部を構成する身頃体を備え、
前記左右のバストカップ部を構成する身頃体を、前記女性用衣料を着用した左右のバストの乳頭部よりも女性の体の前中央部寄りに位置する当該身頃体の下辺部から、前記乳頭部を通り略水平方向に人体の体側部へと延びた２本の分割線によって、前面側の身頃体と背面側の身頃体とからなる少なくとも２つの身頃体に分割するとともに、前記左右のバストカップ部に位置する前面側の身頃体と背面側の身頃体の分割線の長さを、前記前面側の身頃体の方が前記背面側の身頃体よりも長くなるように設定し、前記前面側の身頃体と背面側の身頃体の分割線によって分割された対向縁同士を接合することにより、前記左右のバストカップ部を女性の左右のバストに適合した三次元形状に形成したことを特徴とするバストカップ部を有する女性用衣料である。
【００１５】
更に、請求項４に記載の発明は、前記左右のバストカップ部に位置する前面側の身頃体と背面側の身頃体の分割線の長さを、前記前面側の身頃体の方が前記背面側の身頃体よりも３％以上長くなるように設定したことを特徴とする請求項１乃至３のいずれかに記載のバストカップ部を有する女性用衣料である。
【００１６】
また、請求項５に記載の発明は、前記３％以上長くなるように設定された分割線の領域を、左右のバストカップ部の乳頭部近傍に配分し、他の領域は前記左右のバストカップ部に位置する前面側の身頃体と背面側の身頃体の分割線の長さを、略等しく設定したことを特徴とする請求項４に記載のバストカップ部を有する女性用衣料である。
【００１７】
さらに、請求項６に記載の発明は、前記前面側の身頃体及び背面側の身頃体は、女性の立位姿勢において、女性の前面側及び背面側を垂直に通る中心線によって、それぞれ左右の身頃体に分割されていることを特徴とする請求項１乃至５のいずれかに記載のバストカップ部を有する女性用衣料である。
【００１８】
又、請求項７に記載の発明は、前記背面側の身頃体の裏面には、左右のバストカップ部の体側部寄りに位置する領域に、左右のバストを女性の体の前中央部寄りに移動させる機能を果たす裏面構成部材を設けたことを特徴とする請求項１乃至６のいずれかに記載のバストカップ部を有する女性用衣料である。
【００１９】
更に、請求項８に記載の発明は、前記背面側の身頃体の裏面には、左右のバストカップに対応した領域に、バスト形状を補正するパッドとしての機能を果たす裏面構成部材を設けたことを特徴とする請求項１乃至７のいずれかに記載のバストカップ部を有する女性用衣料である。
【００２０】
また、請求項９に記載の発明は、前記背面側の身頃体には、その裏面側に伸縮性を有する素材からなる裏当て部材が、前記左右のバストカップ部及び当該左右のバストカップ部の体側部寄り位置する領域にわたって、少なくとも当該裏当て部材の外周が前記背面側の身頃体に縫着又は接着された状態で設けられ、前記裏当て部材は、その人体胸部の周方向に沿った長さが、前記背面側の身頃体よりも短く設定されているとともに、その人体胸部の周方向と直交する方向に沿った長さが、前記背面側の身頃体よりも長く設定されており、前記裏当て部材の人体胸部の周方向に沿った収縮力によって、前記背面側の身頃体の前記左右のバストカップ部及び当該左右のバストカップ部の体側部寄り位置する領域が、人体骨格に沿って湾曲するように構成されていることを特徴とする請求項１乃至８のいずれかに記載のバストカップ部を有する女性用衣料である。
【００２１】
さらに、請求項１０に記載の発明は、前記背面側の身頃体の裏面側には、その左右のバストカップ部の体側部から女性の体の前中央部にかけて、順次低伸張部、中伸張部、高伸張部とした裏当て部材を設けたことを特徴とする請求項１乃至９のいずれかに記載のバストカップ部を有する女性用衣料である。
【００２２】
又、請求項１１に記載の発明は、前記前面側及び背面側の身頃体は、少なくともその左右のバストカップ部を構成する部材が、表面層部と裏面層部とを中間中空層部を構成する連結糸で互いに接続した立体中空状の布地からなることを特徴とする請求項１乃至１０のいずれかに記載のバストカップ部を有する女性用衣料である。
【００２３】
更に、請求項１２に記載の発明は、前記立体中空状の布地からなる背面側の身頃体の表面側には、その左右のバストカップ部の体側部から女性の体の前中央部にかけて、順次低伸張部、中伸張部、高伸張部とした裏当て部材を設けたことを特徴とする請求項１乃至１１のいずれかに記載のバストカップ部を有する女性用衣料である。
【００２４】
また、請求項１３に記載の発明は、前記背面側の身頃体には、人体の中央部寄りの端縁から前記バスト基底輪郭線下辺部領域を略三日月状に切り抜き前記切り抜きによって上下に分離した上下の端縁の上端縁をバスト下部で長さの長い分を下部端縁にいせ込むように縫着することによって人体湾曲形状に適応する身頃体並びにバストカップ部を三次元化した上、前記背面側の一枚構成である身頃体体側部に自然な流れで一体化させることを特徴とする請求項１乃至１２のいずれかに記載のバストカップ部を有する女性用衣料である。
【００２５】
さらに、請求項１４に記載の発明は、前記背面側の身頃体には、前記バストカップ部の体側部寄りに位置する面に、乳頭部に近づく程伸縮性が高くなるように、伸縮性を複数段にわたって異ならせた補正部材を裏面側に設けたことを特徴とする請求項１乃至１３のいずれかに記載のバストカップ部を有する女性用衣料である。
【００２６】
又、請求項１５に記載の発明は、前記背面側の身頃体には、バスト基底輪郭部に沿って補正用のボーンを配設したことを特徴とする請求項１乃至１４のいずれかに記載のバストカップ部を有する女性用衣料である。
【００２７】
また、この発明では、前記背面側の身頃体を１枚の表地によって構成するのではなく、前記背面側の身頃体を、１枚の表地と、当該表地の裏面側又は表面側に縫着又は接着、あるいはコーティング等することにより接合された１枚又は複数枚の補正機能を有する裏当て部材を設けるように構成しても良い。
【００２８】
上記表地としては、ストレッチ性を有する素材からなるものが望ましいが、その材質は特に限定されるものではない。また、表地としては、ダブルラッセル編地等からなる素材を用いても良く、このダブルラッセル編地等からなる素材は、前記裏当て部材として用いても良い。
【００２９】
更に、上記裏当て部材としては、綿や合成繊維製の布地やダブルラッセル編地等からなる素材が用いられるが、これらに限定されるものではなく、シリコンゴム等の合成樹脂をコーティングしたもの、あるいは合成樹脂製の薄いフィルムや板材等からなる芯体など、幅広い素材からなるものを使用しても良い。
【００３０】
また、この発明では、前記左右のバストカップ部を、原則として一枚構成とされた背面側身頃体の体側部からバストを支えるに必要な支持領域を一体的に備えた第１のバストカップ部と、前面側の身頃体の全面からなる第２のバストカップ部とから構成しても良い。
【００３１】
上記左右のバストカップ部には、パッド体を内蔵させてもよく、当該パッド体や前述した裏当て部材を身頃体に取り付けるには、縫着による場合は、パッド体や裏当て部材の外周部のみが身頃体に縫い止められるが、接着による場合は、原則として、パッド体や裏当て部材の全面が身頃体に接着される。なお、前面側の身頃体にパッド体を設ける場合には、当該パッド体は、接着によらずに縫着するのが望ましい。
【００３２】
さらに、この発明では、前記背面側の身頃体には、その裏面側に伸縮性を有する素材からなる裏当て部材が、前記左右のバストカップ部及び当該左右のバストカップ部の体側部寄り位置する領域にわたって、少なくとも当該裏当て部材の外周が前記背面側の身頃体に縫着又は接着された状態で設けられ、前記裏当て部材は、その人体胸部の周方向に沿った長さが、前記背面側の身頃体よりも短く設定されているとともに、その人体胸部の周方向と直交する方向に沿った長さが、前記背面側の身頃体よりも長く設定されており、前記裏当て部材の人体胸部の周方向に沿った収縮力によって、前記背面側の身頃体の前記左右のバストカップ部及び当該左右のバストカップ部の体側部寄り位置する領域が、人体骨格に沿って湾曲するように構成されていても良い。
【発明の効果】
【００３３】
この発明によれば、バストカップ部を所望の立体形状に形成することができるとともに、部品点数を減少させるという利点を更にバスト補正力を高める利点へと進化させたバストカップ部を有する女性用衣料を提供することができる。
【発明を実施するための最良の形態】
【００３４】
以下に、この発明の実施の形態について図面を参照して説明する。
【００３５】
実施の形態１
図１において、１はバストカップ部を有する女性用衣料としてのブラジャーを示すものであり、このブラジャー１は、女性の左右のバストをそれぞれ覆う左右のバストカップ部２、３を備えている。これらの左右のバストカップ部２、３には、その左右両側にサイドパネル部４、５が一体的に連設されているとともに、これら左右のサイドパネル部４、５の先端には、後述するように、女性の体の背面側に位置するバックパネル部６、７が一体的に設けられている。また、上記左右のバストカップ部２、３の略三角形状に形成された上端部には、ショルダーコード１０、１１がそれぞれ縫着されている。なお、上記ブラジャー１としては、必ずしもショルダーコードを有しないものであっても良い。
【００３６】
一般に、従来のブラジャーは、女性のバストの形状を美しく表現することを目的としており、バストを押さえこむことがないように、女性の体に着用するための身頃体をバストの輸郭部で切断し、乳房立体包容部であるバストカップ部と区分するように構成されている。さらに、最近のブラジャーは、左右のバストカップ部を単なる女性のバストを包容する部位としての機能から、バストの移動可能量を掌握した上で、女性のバストを人体美学を前提とする形状に引き寄せて引き上げるように移動させる機能を主とする傾向にある。
【００３７】
これらの機能を前提とするブラジャーは、併せて、老化に伴う皮脂によるバストの下垂を支持する機能、又は下垂したバストを若さが表現できる位置に吊り上げる機能を発揮することをも目的としている。これらの機能は、ブラジャー１に基本的に求められる機能であり、バストカップ部によるバスト下部の保持機能と、ショルダーコードによるバスト吊上げ機能によって達成される。
【００３８】
また、近年、上記ブラジャーには、上述した基本機能に加えて、左右のバストの間に谷間を形成したり、チェスト部にバストの湾曲した曲線形状の丘陵線を形成する機能が、女性の魅力をより一層表現するものとして重要視されてきており、理想とするバスト形状を創出するため、左右のバストを人体中央部の上方へ移動させることが要求されている。
【００３９】
このように、ブラジャーに求められる種々の要求に応えるためには、第一の基本機能を前提にして、一方のショルダーコードを左肩から人体チェスト部を斜めに右側バストカップ部に、且つ他方のショルダーコードを右肩から人体チェスト部を斜めに左側バストカップ部に連結することが考えられるが、この場合には、左右のショルダーコードが胸元に露出してしまい、服装美学的にも且つ女性美学的にも好ましく無い。
【００４０】
ブラジャーは、アンダーバストの保持力に対し、バスト底辺を三角の一辺とする長三角形状の頂点をショルダーコードによって吊上げる力線によって成り立っているが、近年はバストを構成する略半球体に対するバスト輪郭部の下辺約１／２強の部分をボーン等によって固定し、当該ボーンを三角形状の一辺として吊上げることから、バストカップ部とそれ以外の身頃体とは完全に分離され、その役割も明確に分離されていた。よって、役割が明確に分離されたバストカップ部が果たす機能は、当該バストカップ部の形状をもってバスト形状を補正する機能、乃至はバストカップ部の厚みを部分的に異ならせることで当該バストカップ部の内部形状を変化させ、バストの小さな移動を促す機能に留まっていた。
【００４１】
そこで、この実施の形態では、女性の左右のバストにそれぞれ装着する左右のバストカップ部を有する女性用衣料において、
女性の体の胸部外周を覆うとともに、前記左右のバストカップ部を構成する身頃体を備え、
前記左右のバストカップ部を構成する身頃体を、前記女性用衣料を着用した左右のバストの乳頭部よりも女性の体の前中央部寄りに位置する当該身頃体の下辺部から、前記乳頭部を通り略水平方向に人体の体側部へと延びた左右のバストに対応した２本の分割線によって、前面側の身頃体と背面側の身頃体とからなる少なくとも２つの身頃体に分割するとともに、前記左右のバストカップ部に位置する前面側の身頃体と背面側の身頃体の分割線の長さを、前記前面側の身頃体の方が前記背面側の身頃体よりも長くなるように設定し、前記前面側の身頃体と背面側の身頃体の分割線によって分割された対向縁同士を接合することにより、前記左右のバストカップ部を女性の左右のバストに適合した三次元形状に形成したものである。
【００４２】
すなわち、この実施の形態に係るブラジャー１は、図２乃至図５に示すように、例えば、女性の立位姿勢における体の前面及び背面に位置する垂直方向に沿った中心線をＣ１、Ｃ２とした場合、これらの中心線Ｃ１、Ｃ２では、身頃体を分割せずに、左右のバストカップ部２、３を含む身頃体２０を、図２及び図３に示すように、ブラジャー１を着用した左右のバストの乳頭部４０よりも女性の体の前中央部寄りに位置する当該身頃体２０の下辺部２２から、前記乳頭部４０を通り略水平方向から略斜め上方に人体の体側部２３へと延びた左右のバストに対応した２本の分割線２４、２５によって、図４に示すような前面側のバストカップパネル（身頃体）２６と図５に示すような背面側のバストカップパネル（身頃体）２７とからなる少なくとも２つの身頃体２６、２７に分割するように構成したものである。
【００４３】
本発明では、図４、図５及び図６（ａ）に示すように、前面側のバストカップパネル（身頃体）２６と背面側のバストカップパネル（身頃体）２７とからなる２つの身頃体で構成したものを基本実施の形態とするが、これに限定されるものでなく、図６（ｂ）に示すように、背面側のバストカップパネル（身頃体）２７を、更にサイドパネル４、５とバックパネル６、７の境界で分離することにより、背面側のバストカップパネル（身頃体）２７を、２つのパーツから構成しても良い。ただし、図７に示すように、背面側のバストカップパネル（身頃体）２７の前側のパーツＣを、更に下カップ部Ｅとその周囲の体側部Ｆとに分離するように構成しても、これら下カップ部Ｅとその周囲の体側部Ｆとが接合されて一体化されるものであれば、かかる構成を採用しても良い。
【００４４】
上記前面側のバストカップパネル２６は、図４に示すように、右側のバストカップ部２に対応した上カップパネル２８（身頃体）と、左側のバストカップ部３に対応した上カップパネル２９（身頃体）とが、中心線Ｃ１に対して左右対称に構成されているとともに、背面側のバストカップパネル２７も、図５に示すように、右側のバストカップ部２に対応した下カップパネル３０（身頃体）と、左側のバストカップ部３に対応した下カップパネル３１（身頃体）とが、中心線Ｃ２に対して左右対称に構成されている。
【００４５】
上記前面側及び裏面側のバストカップパネル２６、２７を構成する上カップパネル２８、２９と下カップパネル３０、３１について、右側に位置するバストカップパネルを例にして説明すると、この右側に位置するバストカップパネルの上カップパネル２８には、図８に示すように、女性のバストを覆うバストカップ部２、３の上カップ３２、３３と、ブラジャー１の中央部に位置するセンターパネル３４、３５とが一体的に形成されている。
【００４６】
また、上記下カップパネル３０、３１には、図８に示すように、女性のバストカップ部２、３の下カップ３６、３７と、バストカップ部２、３の体側部寄りに位置するサイドパネル４、５と、当該サイドパネル４、５の背面側に位置するバックパネル６、７とが一体的に形成されている。なお、上記サイドパネル４、５とバックパネル６、７は、一体的に形成しても良いが、上述した図６（ｂ）に示すように互いに別体として構成し、縫着や接着等の手段によって接合することによって一体的に構成しても良い。
【００４７】
図１において、上記上カップパネル３２、３３と下カップパネル３６、３７を上下に分割する分割線２４、２５は、次のように設定されている。この上カップパネル３２、３３と下カップパネル３６、３７を分割する分割線２４、２５は、図９に示すように、本実施の形態に係るブラジャー１を着用した後の女性のバストを、カップポイント（乳頭部）４０を針の中心とした時計にたとえると、女性の体の中央部側において、時計の長針が約３５〜４０分の間となる位置２２を起点として、やや右側に傾斜した上向きの略直線状乃至大きな曲率半径を有する曲線状２４ａにカップポイント（乳頭部）４０を通過するように延びており、カップポイント（乳頭部）４０の前後の位置２４ｂ、２５ｃにおいて、比較的小さな曲率半径を有するように形成されている。さらに、上記分割線２４、２５は、カップポイント（乳頭部）４０を通過した後、略水平乃至やや上向き２４ｄに延びており、その体側部寄りの端部２３が約１０〜１５分の位置で終点となるように形成されている。そして、上記ブラジャー１は、図１に示すように、女性の体の前面側に位置する部分が上カップパネル３２、３３を含む前面側のバストカップパネル２６となっており、女性の体の脇側に位置する部分が下カップパネル３６、３７を含む裏面側のバストカップパネル２７となっている。
【００４８】
なお、図９において、Ｙは本実施の形態に係るブラジャー１を着用する前の女性のバストのカップポイント（乳頭部）４０を、Ｙ’は本実施の形態に係るブラジャー１を着用した後の女性のバストのカップポイント（乳頭部）４０を、Ａは本実施の形態に係るブラジャー１を着用する前のバストのカップポイント（乳頭部）４０における人体骨格からの高さを、Ａ’は本実施の形態に係るブラジャー１を着用した後のバストのカップポイント（乳頭部）４０における人体骨格からの高さを、Ｂは本実施の形態に係るブラジャー１を着用する前のバストのカップポイント（乳頭部）４０における人体中心線Ｃからの距離を、Ｂ’は本実施の形態に係るブラジャー１を着用した後のバストのカップポイント（乳頭部）４０における人体中心線Ｃからの距離を、それぞれ示している。
【００４９】
上記上カップパネル３２は、図８に示すように、その中央部（図８中左側）寄りの直線４１が中心線Ｃ１と一致しており、この中央部寄りの直線４１が他方の上カップパネル３３と一体化される端縁となっている。この直線４１の下端部には、センターパネル部３４の下端縁４２を構成する短い直線部が略直交するように形成されている。
【００５０】
また、上記上カップパネル３２は、図８に示すように、その直線４１の上端部に、バストカップ部２の上端縁４３が、図８中略水平方向に沿って延設されているとともに、当該上端縁４３の右端側の部分４３ａは、上方へ向けて大きな曲率半径を持って湾曲した形状に形成されている。さらに、上記上カップパネル３２の略三角形状に形成された接合部４４の右側面の部分４５は、下方右側へ向けて大きな曲率半径を持って湾曲した形状に形成されている。
【００５１】
さらに、上記上カップパネル３２の下端縁４６は、図８に示すように、センターパネル部３４の下端縁４２に鈍角を成して連続しており、略水平方向に沿って上側に凸形状となるように僅かに湾曲４６ａした後、下側に凸形状となるように僅かに湾曲４６ｂした曲線状に形成されている。
【００５２】
一方、下カップパネル３６は、図８に示すように、その中央部（図８中左側）寄りの上端縁４７が、起点２２から鉛直方向に対して右側に傾斜した斜め上方へ向けて略直線状乃至非常に大きな曲率半径を有する曲線状４７ａに形成されているとともに、トップポイント４０を通る所定の曲率半径を有する円弧状部分４７ｂを介して、略水平方向に沿った部分４７ｃが終点２３まで延びている。
【００５３】
また、上記下カップパネル３６の下端縁４８は、起点２２から下向きに凸状に小さく湾曲した湾曲部４８ａを介して、上向きに凸状に僅かに湾曲４８ｂした後、下向きに凸状に小さく湾曲４８ｃした湾曲部を有した形状に形成されている。
【００５４】
さらに、上記下カップパネル３６には、徐々に幅が狭くなるように形成されたサイドパネル部４が一体的に形成されているとともに、当該サイドパネル部４には、バックパネル部６が一体的に連設されている。また、上記バックパネル部６の上端縁には、ショルダーコード１０の後端を連結する角部からなる連結部４９が設けられている。さらに、上記バックパネル部６の先端部５０は、背面側の中心線Ｃ２と一致しており、この先端部５０は、図２に示すように、他方の下カップパネル３１のバックパネル部７と連続して設けられている。
【００５５】
なお、上記ブラジャー１は、図４及び図５に示すように、基本的に、前面側のバストカップパネル２６と背面側のバストカップパネル２７からなる２つの身頃体で略円筒形状に構成されるが、当該ブラジャー１は、例えば、これら前面側のバストカップパネル２６と背面側のバストカップパネル２７を伸縮性を有する素材によって形成し、被るようにして着用される。
【００５６】
また、上記ブラジャー１は、下カップパネル３０、３１のバックパネル部６、７の先端部で左右に分割し、これら左右に分割されたバックパネル部６、７の先端に、図示しないフックやアイ等からなる係止具を、縫着等の手段によって取り付けることにより着用するように構成しても勿論良い。
【００５７】
さらに、上記上カップパネル３２と下カップパネル３６とを分割する分割線２４、２５に対応した上カップパネル３２の下端縁４６と、下カップパネル３６の上端縁４７の長さは、図８に示すように、上カップパネル３２の方が下カップパネル３６よりも３％以上長くなるように設定されている。
【００５８】
なおかつ、上カップパネル３２の下端縁４６の長さは、下カップパネル３６の上端縁４７に対して、均等に３％以上長くなるように設定されているわけではなく、左右のバストカップ部２、３のカップトップ位置４０の近傍４７ｂに対応した領域が、３％以上長くなるように設定されており、他の領域は、左右のバストカップ部２、３に位置する上カップパネル３２の下端縁４６と、下カップパネル３６の上端縁４７の長さが、略等しく設定されている。
【００５９】
また、上記上カップパネル３２と下カップパネル３６とを分割する分割線２４、２５には、縫い代が設けられており、これら上カップパネル３２と下カップパネル３６は、縫い代によって互いに縫着され、上カップパネル３２と下カップパネル３３とを分割する分割線２４、２５の長さの上下の相違によって、左右のカップパネル２、３は、左右のバストカップ部２、３がブラジャー１を着用する女性の左右のバスト形状に適合した三次元形状に形成されている。
【００６０】
その結果、上記上カップパネル３２の下端縁４６と、下カップパネル３６の上端縁４７とを互いに縫着するか又は接着することによって接合することによって、３％以上長くなるように設定された上カップパネル３２の下端縁４６のカップトップ位置４０近傍は、下カップパネル３６の上端縁４７がいせこみされた状態（いせこみ：長さの異なる端縁どうしを縫着する際に、長さが短い方の端縁を引っ張り気味に、長さが長い方を押し込み気味にしながら縫着する方法）で縫着等が施され、カップトップ位置４０の近傍領域は、図１に示すように、ブラジャー１を着用した左右のバストの乳頭部４０が女性の体の前中央部寄りであって上方に位置するような三次元形状に形成される。
【００６１】
また、上記実施の形態では、上カップパネル３２、３３のセンターパネル３４が、女性の体の前面側で一体的に連結されているが、左右の上カップパネル３２、３３のセンターパネル３４同士を左右に分割した前面側の身頃体としても良い。
【００６２】
ただし、上述したように、本実施の形態に係るブラジャー１は、基本的に、図４及び図５に示すように、前面側の身頃体２６と背面側の身頃体２７とからなる２つのパーツによって構成することができ、部品点数を少なくすることができ、製造コストダウンが可能となる。
【００６３】
上記ブラジャー１は、下カップパネル３６、３７のサイドパネル部４、５及びバックパネル部６、７が、図９に示すように、略楕円形状の人体骨格５１に沿って配設されるが、当該下カップパネル３６、３７のバストカップ部２、３は、略楕円形状の人体骨格５１から略椀形状に突出した女性のバスト５２に装着されるものである。そのため、上記下カップパネル３６、３７のパターンは、図９及び図１０に示すように、バスト下部の底辺輪郭５３が、人体骨格５１の湾曲線に準じる楕円形状に形成されている。
【００６４】
上記の如く上カップパネル３２、３３と下カップパネル３６、３７とを縫着することによって構成される左右のバストカップ部２、３は、着用する女性のバスト５２のカップサイズに応じた形状に形成されるが、当該バストカップ部２、３のバスト容積を確定するバスト輪郭底辺は、図９に示すように、人体骨格５１の湾曲線による底辺をベースに湾曲に捉え、且つ当該腕脇下側、特に下カップパネル３６、３７が形成するバスト下辺から、腕脇下側の輪郭線よりバストトップ４０を結んだ直線が、ブラジャー１を着用する前の人体トップＹより１ｃｍ以上高い位置となるように設定されている。
【００６５】
上記ポイントは、図９に示すように、人体骨格５１の湾曲線に沿って設定されたバスト底辺輪郭線を人体前後の中心線Ｃ１、Ｃ２上にＹ軸（高さ）に乳房高さを設定し、当該高さに上記人体骨格５１の湾曲線をベースとするバスト輪郭線のバスト下部から腕脇下側までの底辺輪郭線から直線５５によってはみ出る人体のバスト容量（人体バスト移動量：図８中の斜線を施した部分）を、人体のバストポイント４０より少なくとも１ｃｍ上方且つ前側に押し上げた場合の乳頭部４０の位置を当該パターンの乳頭位置とし、且つ容量をカバーする丸みを上カップパネル３２、３３のパターンにデザインすることを基本とする。
【００６６】
図１０中の破線５３はブラジャー１を着用する前の女性のバスト５２の形状を示したものであり、同図中の二点鎖線５４はブラジャー１を着用した後の女性のバスト５２の形状を示したものである。
【００６７】
図９において、４０は女性のバスト５２の乳頭部の位置を示したものであり、ブラジャー１を着用することによって、女性のバスト５２の乳頭部４０の位置は、ＢからＢ’へと変化する。同様に、図９中、Ａは女性のバスト５２の乳頭部４０の人体骨格５１の基底部からの高さを示したものであり、ブラジャー１を着用することによって、女性のバスト５２の乳頭部４０の人体骨格５１の基底部からの高さは、ＡからＡ’へと変化する。
【００６８】
更に、この実施の形態１に係るブラジャー１は、前記背面側の身頃体には、人体の中央部寄りの端縁から前記バスト基底輪郭線下辺部領域を略三日月状に切り抜き前記切り抜きによって上下に分離した上下の端縁の上端縁をバスト下部で長さの長い分を下部端縁にいせ込むように縫着することによって人体湾曲形状に適応する身頃体並びにバストカップ部を三次元化した上、前記背面側の一枚構成である身頃体体側部に自然な流れで一体化させるように形成されている。
【００６９】
この実施の形態１では、図１１に示すように、下カップパネル３６、３７の人体中央部寄りの端部であって、起点２２となる位置よりも所定の距離だけ上方の位置に、バスト基底部６０に沿って略三日月状の切込み６１が設けられているとともに、切込み６１よりも下方に位置する端縁は、その上方に位置する端縁よりも例えば１ｃｍ程度短く設定されている。
【００７０】
そして、上記下カップパネル３６、３７は、略三日月状の切込み６１を介して対向する端縁同士が互いに縫着されており、縫着後の下カップパネル３６、３７は、図１１及び図１２に示すように、バスト基底部５４が人体骨格５１に対して立位姿勢の人体上方に向けて凸形状となるように湾曲形状に形成されている。
【００７１】
このように構成することにより、本実施の形態に係るブラジャー１は、図１０に示すように、左右のバストカップ部２、３のバスト基底部５４が、人体骨格５１に対して立位姿勢の人体上方に向けて凸形状となるように湾曲形状に形成されており、人体骨格５１にフィットするものとなっている。
【００７２】
また、上記の如く、背面側の身頃体に、人体の中央部よりの端縁から前記バスト基底部に沿って略三日月状の切込み６１を設ける代わりに、図１３に示すように、長さ及び幅が順次異なる細長い菱形形状の切り込み６２ａ〜６２ｄを、バスト基底部に沿ってバストトップを中心にして放射状に設け、各細長い菱形形状の切り込み６２ａ〜６２ｄの対向する端縁を互いに縫着することによって、下カップパネル３６、３７のバスト基底部５４が人体骨格５１に対して立位姿勢の人体上方に向けて凸形状となるように湾曲形状５４に形成しても良い。
【００７３】
さらに、この実施の形態では、図１４に示すように、分割線２４、２５の体側寄りの部分に、三日月形状の切り込み部６３を設け、この三日月形状の切り込み部６３の端縁同士を上下に縫着することにより、当該三日月形状の切り込み部６３を人体側に向けて凹形状に窪ませて、ショルダーコード１０、１１によって矢印方向の引っ張り力が作用した際に、三日月形状の切り込み部６３によってバストの体側寄りの部分を押圧する力を発生させ、より一層バストを中央部寄りに寄せる効果を発揮させることができる。
【００７４】
更に、この実施の形態１では、前記背面側の身頃体の裏面側には、その左右のバストカップ部の体側部から女性の体の前中央部にかけて、順次低伸張部、中伸張部、高伸張部とした裏当て部材を設けるように構成されている。この裏当て部材は、例えば、左右のバストを女性の体の前中央部寄りであって且つ上方に移動させる機能を果たすものである。
【００７５】
すなわち、この実施の形態１では、図１５に示すように、女性のバストをバスト下部から支え、且つ体側部よりバストの側面を押さえる力Ｆを作用させるため、上カップパネル３２、３３及び下カップパネル３６、３７に素材を工夫した裏当部材を内蔵させることにより、女性のバスト４１を人体の中央部且つ上方に向けて移動させる三次元的な補正機能を付加させるように構成されている。
【００７６】
この実施の形態では、図１５に示すように、上カップパネル３２、３３の全体又は上カップパネル３２、３３の上カップに相当する生地を、伸縮性が高い素材によって構成するとともに、下カップパネル３６、３７の下カップに相当する領域を、乳頭部４０を中心にして略同心円状に複数（図示例では、３つ）の領域７１、７２、７３に区分し、これらの３つ）の領域７１、７２、７３を乳頭部４０に近い部分から順に、伸縮性を有する素材、中程度の伸縮性の素材、非伸縮性の素材によって構成することにより、女性のバスト５２をバスト下部から支える力Ｆ１を作用させるとともに、体側部よりバスト５２の側面を押さえる力Ｆ２を作用させるように構成されている。
【００７７】
また、この実施の形態に係るブラジャー１では、上記の構成に代えて、図１６に示すように、下カップパネル３６、３７の下カップ及びサイドパネル部４、５に相当する領域にわたって、その裏面側に伸縮性の高い素材からなる裏当て部材７４が設けられている。この裏当て部材７４は、その外周が下カップパネル３６、３７に縫着又は接着された状態で設けられており、この裏当て部材７４は、その人体胸部の周方向に沿った長さＬ１が、下カップパネル３６、３７の長さＬ２よりも短く設定されているとともに、その人体胸部の周方向と直交する方向（縦方向）に沿った長さＬ３が、下カップパネル３６、３７の長さＬ４よりも長く設定されており、裏当て部材７４の人体胸部の周方向に沿った収縮力Ｆ４によって、前記背面側の身頃体の前記左右のバストカップ部及び当該左右のバストカップ部の体側部寄り位置する領域が、人体骨格５１に沿って湾曲するように構成されている。
【００７８】
更に説明すると、この実施の形態に係るブラジャー１は、図１７及び図１８に示すように、バストポイント（乳頭部）４０を起点として、上カップパネル３２、３３と下カップパネル３６、３７とを分割する分割線２４、２５によって、左右のバストカップ部２、３が上下に分割されており、下カップパネル３６、３７の略円錐形状の下カップ部が、サイドパネル４、５と一体的に形成されている。
【００７９】
また、上記ブラジャー１は、図１９（ａ）に示すように、バストカップ部２、３の体側部寄りの輪郭線８０から、ブラジャー１を着用する前のバスト部の接線８１を結ぶ角度を人体丘陵角度とすることに対して、輪郭線８０と接線８２を結ぶ角度を設計角度とし、ブラジャー１を着用した結果を、人体美学的な乳房丘陵角度である輪郭線８０から接線８３を結ぶ角度とする。そして、女性の体の体側部から湾曲形状を描いて人体中心に至る円錐領域において、バストカップ部２、３の外側身頃体が女性のバストを押さえる力を、図１６に示すように、当て布や芯体、あるいはボーン等の構造体を適宜組み合わせることによって、バスト輪郭線８０の体側部を支点として、バストトップ部４０に向けて、波状的に弱めるように構成し(云えば鳥の羽様な構造とし)、圧力を波状的に押し上げる力に変化させることが望ましい。
【００８０】
さらに、上記ブラジャー１は、図１５に示すように、サイドパネル４、５と一体化された下カップパネル３６、３７に対して、上カップパネル３２、３３は、下カップパネル３６、３７によって人体中央部上方へ移動されたバストに制約を与えず、魅惑的なバスト丘陵を創出するとともに、左右のバストカップ部２、３を中央に引き寄せる力を発揮させるものである。
【００８１】
図１５において、バックパネル部６、７は、ブラジャー１の人体に対する総合的な保持力、及び人体の動きや人体に与える圧迫感、あるいは人体へのフィット性等を決定する伸張率を有するとともに、ショルダーコード１０、１１の後端部を保持する機能を有する領域である。
【００８２】
また、上記ブラジャー１の上カップパネル３２、３３は、左右のバストカップ部２、３のチェスト領域であり、このバストカップ部２、３のチェスト領域において、上述したように、ブラジャー１の機能として要求される魅惑的な乳房部の丘陵を確定させる領域であり、ブラジャー１全体の中で最も人体への圧迫力を持たせてはならない部分である。
【００８３】
この実施の形態に係るパターン形状を有する分割線２４、２５において、最も三次元的な立体性を創出する役割を担い、上カップパネル３２、３３と下カップパネル３６、３７とを分割する分割線２４、２５の長さは、上カップパネル３２の方が下カップパネル３６よりも３％以上長くなるようにゆとり量をもって設定されており、トップバスト位置を確定する上カップパネル３２と下カップパネル３６の分割線２４、２５の領域を、ゆとり量をいせ込みながら接続することにより、より理想とするバストトップの三次元化を創出することが可能となるものである。
【００８４】
また、上記ブラジャー１のサイドパネル部４、５は、人体前後のバランスを保持する役割を持つものである。特に、ブラジャー１全体の周囲長方向への伸びによって上下方向のゆがみ(カーリング)を生むことへの保持力を求められる部位であり、当該サイドパネル４、５に縦方向に沿ったボーンを配置するように構成しても良い。
【００８５】
図１８は、ブラジャー１のバストカップ領域に対する説明図である。
【００８６】
図１８において、バストカップ部２、３は、ブラジャー１を着用する前のバストポイント４０’を座標の原点とした場合に、図１８中の(I)は、バストカップ部２、３の下カップ領域の下カップ中心側１／４の領域であり、(II)は、下カップ部脇側の１／４の領域である。さらに(III)はバスト上下水平線によって区分する上カップ領域のチェスト側１／４であり、(IV)は腕腋下側の１／４の領域である。
【００８７】
図２０はブラジャー１の身頃体の保持力を説明する説明図である。
【００８８】
図２０（ａ）は、同図（ｃ）に示すように、スパンデックス糸等の伸縮力を有する糸が挿入されて伸張力を有し保持力のある筒状の丸編み体からなるベアトップブラを着用した場合において、当該ベアトップブラを着用する前後のバスト(点太線並びに破線)の形状が、どのように変化するかを概略的に示したものである。結果として、上記ベアトップブラの保持力により、乳房トップ部が圧縮され、反面当該圧縮された容量が最も圧力の加わらないトップと人体骨格の間である領域に逃げ、乳房輸郭は、点線ロに示すように拡大することになる。
【００８９】
また、図２０（ｄ）は、上記フラット丸編み地からなるベアトップに、本発明の保持領域を成形編みしたベアトップを着用した場合のバスト形状を示したものである。
【００９０】
さらに、図２０（ｅ）は、本発明の保持領域を成形編みしたベアトップであって、保持力を段階的に異ならせたベアトップブラを着用した概略図であり、着用後の人体形状は、理想形状に近い点線に示した形状となる。
【００９１】
このように、上記実施の形態に係るブラジャー１によれば、バストカップ部２、３を所望の立体形状に形成することができるとともに、部品点数が少なく、製造工程が容易であって低コストにて製造することが可能となっている。
【００９２】
また、上記実施の形態に係るブラジャー１によれば、バストカップ部２、３を所望の立体形状に形成することができるとともに、部品点数を減少させるという利点を更にバスト補正力を高める利点へと進化させることができる。
【００９３】
実施の形態２
図２１はこの発明の実施の形態２を示すものであり、前記実施の形態１と同一の部分には同一の符号を付して説明すると、この実施の形態２では、前記背面側の身頃体の裏面側又は表面側には、その左右のバストカップ部の体側部から女性の体の前中央部にかけて、順次低伸張部、中伸張部、高伸張部とした裏当て部材を設けるように構成されている。
【００９４】
すなわち、この実施の形態２では、例えば、図２１（ａ）に示すように、表面側のバストカップパネル２６及び背面側のバストカップパネル２７の素材として、表面層部と裏面層部とを中間中空層部を構成する連結糸で互いに接続した立体中空状の布地としてのダブルラッセル編みの生地９１を用いるとともに、当該ダブルラッセル編みの生地９１の裏面側に、互いに形状を異ならせた３枚の補強を兼ねる当布９２ａ、９２ｂ、９２ｃが、その表面側にホットメルト加工を施して接着力を付与する等により積層状態に設けられている。その結果、上記当布９２ａ、９２ｂ、９２ｃが積層されたダブルラッセル編みの生地９１は、当布９２ａ、９２ｂ、９２ｃの形状及び積層枚数に応じて、その左右のバストカップ部２、３の体側部から女性の体の前中央部にかけて、順次低伸張部、中伸張部、高伸張部となるように構成されている。
【００９５】
また、図２１（ｂ）は、表面側のバストカップパネル２６及び背面側のバストカップパネル２７の素材として、ストレッチ性を有する表地９３を用いるとともに、当該表地９３の裏面側にダブルラッセル編みの生地９１と、当布９２ａ、９２ｂとが積層状態に設けたものである。
【００９６】
同様に、図２１（ｃ）〜（ｊ）に示すように、表面側のバストカップパネル２６及び背面側のバストカップパネル２７の素材、ダブルラッセル編みの生地９１、当布９２ａ、９２ｂ、及びストレッチ性を有する表地９３の組み合わせとしては、種々の組み合わせが考えられ、適宜選択して採用される。なお、図２１中、符号９４は合成樹脂製の薄いフィルムを示すものであり、容易に弾性変形が可能であって、乳頭部４０に向うほどフレキシブルであることが望ましい。
【００９７】
また、図２２は他の変形例を示すものであり、この変形例では、そのカップパネル３０の下カップ部３６の裏面側に、裏当て部材７０が縫着や接着等の手段によって設けられている。この裏当て部材７０は、サテン等の伸縮性のある生地を二つ折りにして縫製した人体中心側の高伸張部７１を備えている。この高伸張部７１は、人体へのフィット性と肌触り性を重視するとともに、着用時のシルエットに影響を及ばさないように薄く構成するが、ある程度の腰を持たせる厚みとする必要がある。
【００９８】
また、上記裏当て部材７０の中間部には、中間程度の伸縮性の中伸縮部７２が形成され、さらにその外側の体側部側にはあまり変形することのない低伸張部７３が形成されるものである。
【００９９】
このように、上記背面側のバストカップパネル２７には、その下カップパネル３０の下カップ部３６の裏面側に裏当て部材７０を設け、当該裏当て部材７０は、その左右のバストカップ部２、３の体側部から女性の体の前中央部にかけて、順次低伸張部７３、中伸張部７２、高伸張部７１とすることにより、裏当て部材７０によって女性のバストをその体側部から前中央部にかけて順次高く押圧する作用を得ることができ、バストを寄せて上げる補正効果を発揮することができる。
【０１００】
その他の構成及び作用は、前記実施の形態１と同様であるので、その説明を省略する。
【０１０１】
実施の形態３
図２３乃至図２４はこの発明の実施の形態３を示すものであり、前記実施の形態１と同一の部分には同一の符号を付して説明すると、この実施の形態３では、前面側のバストカップパネル２６の形状が前記実施の形態と異なるように構成されている。
【０１０２】
この実施の形態３では、図２３に示すように、左右の上カップパネル３２、３３の下端部が女性の体の前面で交差するように配置されており、左右のバストカップ部２、３を女性の体の前面中央部に寄せる効果をアップしているとともに、左右の腕を動かした場合でも、左右の上カップパネル３２、３３の下端部をしっかり押さえて、ショルダーコード１０、１１がずれ難いように構成されている。
【０１０３】
また、この実施の形態３の変形例は、図２４に示すように、前面側のバストカップパネル２６の中央部を二点鎖線で示すように、胸元に沿って凹形状に形成したり、前面側のバストカップパネル２６を実線で示すように、胸元の上部にまでわたるように形成したものである。
【０１０４】
その他の構成及び作用は、前記実施の形態１と同様であるので、その説明を省略する。
【０１０５】
実施の形態４
図２５乃至図３６はこの発明の実施の形態３を示すものであり、前記実施の形態１と同一の部分には同一の符号を付して説明すると、この実施の形態４では、左右のバストカップ部の下辺に沿って三次元形状の保形用ボーンを併用させるように構成されている。
【０１０６】
この保形用ボーンは、断面偏平形状の弾性線材を用いて形成され、この弾性線材の広幅面側が正面Ｇとなるようにブレストカップの略下側縁形状に湾曲させて形成されたブレストカップ保形用ボーンであり、ブレスト下部側に位置する中央底部（ＢＤ間）とブレスト身体中心側に位置する身体中心側立部（ＡＢ間）及びブレスト腋下側に位置する腋下側立部（ＤＥＦ間）とが平面上から離れる方向に湾曲した湾曲形状を有すると共に、上記中央底部の略中心（Ｃ点）を基準にして少なくとも上記腋下側立部（ＤＥＦ間）がその始点（Ｄ点）から先端（Ｆ点）にかけて４５〜９０°の範囲で正面Ｇが外側を向く方向に捩じれた捩れ形状を有しており、装身時には、腋下側立部（ＤＥＦ間）がその捩れ形状に基づいて身体中心側立部（Ａ〜Ｂ間）より大きく弾性変形してこれら身体中心側立部先端（Ａ点）と腋下側立部先端（Ｆ点）との間が所定の範囲で拡開するように構成されている。
【０１０７】
この実施の形態４に係る保形用ボーンが装着されたブラジャー１は、図２５に示すように、左右のバストカップ部２、３のバスト基底輪郭部５４沿って組み込まれている。なお、この実施例に係るブラジャー１は、ＪＩＳ Ｌ４００６（１９８７）のＢカップ体型Ｂ７０の規格に適合するように設計されており、以下に示すボーン９５の大きさ、湾曲形状、捩れ形状等の寸法もこの規格のＢカップ体型Ｂ７０に適するように設計されたものである。
【０１０８】
この保形用ボーン９５は、図２６〜図２８に示すように、断面略長方形状、また望ましくは人体への接触を和らげるように、肌に接する側をかまぼこ状の断面略円弧形状に形成し、その材質としては当該形状を維持するため、望ましくは形状記憶合金製弾性線材が良いが、形状のデザイン性からすれば、射出成型に適した高機能樹脂からなるものを用いて形成され（実際には図２７に示されているように断面略長円形若しくは略楕円形であるが、図２７以外では説明の都合上断面長方形に描かれている）、この弾性線材の広幅面側が正面Ｇとなるようにブレストカップの略下側縁形状に沿って湾曲させて形成されている。
【０１０９】
この実施例において、ボーン９５の正面形状は、図２６に詳細に描かれているように、非装身時には略々短径に沿って上半分を切除した略縦長半楕円形状であり、また、装身時には弾性変形により拡開して略半円形状となるように形成されている。そして、このボーン９５の大きさは、ボーン９５が用いられる衣類の種類やそのサイズ等によって大きく異なるが、通常、その身体中心側立部先端（Ａ点）から腋下側立部先端（Ｆ点）までの全長が１０〜６０ｃｍ、概ね１５〜４５ｃｍ、標準では１５〜２０ｃｍであって、非装身時から装身時においてその正面形状における身体中心側立部先端（Ａ点）と腋下側立部先端（Ｆ点）との間が概ね０．３〜６ｃｍ、好ましくは１．５〜２．５ｃｍの範囲で拡開する。
【０１１０】
また、このボーン９５の湾曲形状は、このボーン９５をブレスト下部側に位置する中央底部（ＢＤ間、角度α：約９０〜１２０°）９５ａと、ブレスト身体中心側に位置する身体中心側立部（ＡＢ間、角度β：約３０〜４５°）９５ｂと、ブレスト腋下側に位置する腋下側立部（ＤＥＦ間、角度γ：約３０〜４５°）９５ｃとに分割して考察した場合、Ｂ点とＤ点とが接地し、上記中央底部（Ｂ〜Ｄ間）９５ａ、身体中心側立部（ＡＢ間）９５ｂ及び腋下側立部（ＤＥＦ間）９５ｃが平面上から離れる方向に湾曲した形状になっており、ボーン９５が用いられる衣類の種類やそのサイズ、また、着用者の体形、胸部骨格、胸囲寸法及びブレスト形状等によって大きく異なるが、上記中央底部（ＢＤ間）９５ａの略中心Ｃ点での平面からの離間距離Ｘは概ね０．５〜２ｃｍ、好ましくは０．７〜０．８ｃｍであり、Ａ点での離間距離Ｙは概ね０．１〜１ｃｍ、好ましくは０．２〜０．４ｃｍであり、また、Ｅ点での離間距離Ｚは概ね０．３〜１．５ｃｍ、好ましくは０．７〜０．８ｃｍである。
【０１１１】
そして、この実施例のボーン９５は、図２９から図３３に示すように、上記中央底部（ＢＤ間）９５ａの略中心（Ｃ点）における正面Ｇが１２°の角度で、身体中心側立部（ＡＢ間）９５ｂの始端（Ｂ点）における正面Ｇが２８°の角度で、身体中心側立部（ＡＢ間）９５ｂの先端（Ａ点）における正面Ｇが１６°の角度で、腋下側立部（ＤＥＦ間）９５ｃの始点（Ｄ点）における正面Ｇが６４°の角度で、また、腋下側立部（ＤＥＦ間）９５ｃの先端（Ｆ点）における正面Ｇが７５°の角度で、それぞれ略縦長半楕円形状の外側を向く方向に傾斜して捩じれた捩れ形状を有しており、ブラジャー１のブレストカップ部２、３に組み込んで身体に装身した際には、腋下側立部（ＤＥＦ間）９５ｃがその捩れ形状に基づいて身体中心側立部（ＡＢ間）９５ｂより大きく弾性変形してこれら身体中心側立部（ＡＢ間）９５ｂの先端（Ａ点）と腋下側立部（ＤＥＦ間）９５ｃの先端（Ｆ点）との間が概ね１．５〜２．５ｃｍの範囲で拡開するようになっている。
【０１１２】
図３４は身体のアンダーブレストの位置においてボーン９５が変形する様子を模式的に描いたものであり、非装身時のボーン９５の各点Ａ〜Ｆは装身時に弾性変形して拡開し、各点Ａ’〜Ｆ’の位置にそれぞれ外側に移動する。このとき、Ｃ点はほとんど位置の移動がなく、腋下側立部（ＤＥＦ間）９５ｃ側の変位量（ＤＦ−Ｄ’Ｆ’）は身体中心側立部（ＡＢ間）９５ｂの変位量（ＡＢ−Ａ’Ｂ’）に比べて大きく変位している。
【０１１３】
この実施例のボーン９５を組み込んだブラジャー１は、これを上方からみた場合、図３５（ｂ）及び（ｃ）に示す従来タイプのボーン９５’及び９５”を組み込んだブラジャーｂ及びｃとは異なり、図３０（ａ）に示すように、左右一対のボーン９５が形成する面が平面的ではなくて立体的になり、ブレストカップ部の腋下側立部が捩れ形状の大きさに応じて立ち上がって平らにならず、身頃部が平面上に置けない姿形状になる。
【０１１４】
そして、この実施例のボーン９５は、図３６に示すように、これを平面上に載置してその上方から中央底部（ＢＤ間）、身体中心側立部（ＡＢ間）及び腋下側立部（ＤＥＦ間）を水平方向移動自由な状態で平面上に押しつけ、このボーン９５の湾曲形状及び捩れ形状を略平坦にして得られる平坦基本形状が、装身時にボーン又はその先端側延長線が胸囲線と交わる２点〔この実施例の場合は、身体中心側立部（ＡＢ間）の先端（Ａ点）と腋下側立部（ＤＥＦ間）の交点（Ｅ点）である〕の間を結ぶ方向に略一致して長径を有する略半楕円軌跡形状となっており、中央底部（Ｂ〜Ｄ間）を船底とする偏平な略船底形状になっている。
【０１１５】
この実施例において、上記略半楕円軌跡形状をなすボーン９５の平坦基本形状は、その長径（ＤL 、すなわち長さＡＯＥ）と短径（ＤS 、すなわち長さ２ＯＣ）との比（ＤL ／ＤS ）が１．１〜１．５であり、ボーン９５の製造時には形状記憶合金の弾性線材で先ずこの平坦基本形状を形成し、次いでこの形状記憶合金を加熱下に所定の湾曲形状と捩れ形状とを付与して形成されるもので、この形状記憶合金の材質と付与された湾曲形状及び捩れ形状とが相俟って優れた弾性変形をする。なお、この実施例では、Ｃ点が長さＡＢＣＤＥの中間点に位置しているが、長さＡＢと長さＤＥとが必ずしも一致しているとは限らないので、このＣ点は必ずしも長さＡＢＣＤＥの中間点に位置するとは限らない。
【０１１６】
その他の構成及び作用は、前記実施の形態１と同様であるので、その説明を省略する。
【０１１７】
なお、上記実施の形態では、センターパネル３４、３５を一体化させた上カップパネル３２、３３が、左右のバストを中央部に引き寄せる力、並びに引き寄せられたバスト容量を魅惑的にカバーする機能を果たし、これに連結される下カップパネル３６、３７は、図９に示すように、下カップのバスト下辺部及び体側部寄りの位置から、女性のバスト５２をバスト下部から支えるとともに、体側部よりバスト５２の側面を押さえる補正機能を、上カップパネル３２、３３と協働して作用させるものである。
【０１１８】
また、上記実施の形態では、左右のバストカップ部２、３の裏面側に、パット機能を付与していないが、パット機能を付与させる場合には、製品本体としてのブラジャー１の左右のバストカップ部２、３の裏面側に、裏当て部材としてのパットを配設して二重構造としても良い。
【０１１９】
上記パット体としては、ラッセル編み、ニット編み、トリコット編み等のダブル編みによるシート体、又はウレタンフォームとストレッチ性編み地等のコーティングシート体等からなるストレッチ性を備えたパット体が用いられる。
【０１２０】
さらに、上記実施の形態では、基本的に、ブラジャー１が上カップパネル３２、３３と下カップパネル３６、３７のみから構成されているため、剛性が低く、人体に対する刺激が従来の製品と比較して極端に少ないという特徴を有している。また、上記実施の形態に係るブラジャー１は、省力化されたパターン並びに機能によって、中衣並びに外衣と一体化することが容易であり、表着に複合させる機能を持たせることが容易となる。
【０１２１】
図３７は、本発明を適用した製品としてのブラジャー１を示すものであり、このブラジャー１は、背面側のバストカップパネル２７が図１に示す実施の形態と異なり、バストカプ部２、３の下端縁でカットされている実施例を示すものである。
【図面の簡単な説明】
【０１２２】
【図１】図１はこの発明の実施の形態１に係るバストカップ部を有する女性用衣料としてのブラジャーを示す構成図である。
【図２】図２はこの発明の実施の形態１に係るバストカップ部を有する女性用衣料としてのブラジャーを示す展開図である。
【図３】図３はこの発明の実施の形態１に係るバストカップ部を有する女性用衣料としてのブラジャーを構成するパネルを示す展開図である。
【図４】図４は前面側のバストカップパネルを示す構成図である。
【図５】図５は背面側のバストカップパネルを示す構成図である。
【図６】図６はこの発明の実施の形態１に係るバストカップ部を有する女性用衣料としてのブラジャーを構成するパネルを示す展開図である。
【図７】図７はこの発明の実施の形態１に係るバストカップ部を有する女性用衣料としてのブラジャーを構成するパネルを示す展開図である。
【図８】図８はこの発明の実施の形態１に係るバストカップ部を有する女性用衣料としてのブラジャーを構成するパネルを示す展開図である。
【図９】図９は女性の人体骨格を示す説明図である。
【図１０】図１０はバストカップ部の下辺部輪郭線を示す説明図である。
【図１１】図１１は背面側のバストカップパネルの変形例を示す構成図である。
【図１２】図１２は背面側のバストカップパネルの変形例を示す構成図である。
【図１３】図１３は背面側のバストカップパネルの変形例を示す構成図である。
【図１４】図１４はこの発明の実施の形態１に係るバストカップ部を有する女性用衣料としてのブラジャーを構成するパネルを示す構成図である。
【図１５】図１５はこの発明の実施の形態１に係るバストカップ部を有する女性用衣料としてのブラジャーの要部を示す構成図である。
【図１６】図１６はこの発明の実施の形態１に係るバストカップ部を有する女性用衣料としてのブラジャーの要部を示す構成図である。
【図１７】図１７はこの発明の実施の形態１に係るバストカップ部を有する女性用衣料としてのブラジャーを示す構成図である。
【図１８】図１８はこの発明の実施の形態１に係るバストカップ部を有する女性用衣料としてのブラジャーの要部を示す構成図である。
【図１９】図１９はこの発明の実施の形態１に係るバストカップ部を有する女性用衣料としてのブラジャーの要部を示す説明図である。
【図２０】図２０はこの発明の実施の形態１に係るバストカップ部を有する女性用衣料としてのブラジャーの要部を示す説明図である。
【図２１】図２１はこの発明の実施の形態２に係るバストカップ部を有する女性用衣料としてのブラジャーの要部を示す構成図である。
【図２２】図２２はこの発明の実施の形態２に係るバストカップ部を有する女性用衣料としてのブラジャーの要部を示す構成図である。
【図２３】図２３はこの発明の実施の形態３に係るバストカップ部を有する女性用衣料としてのブラジャーの要部を示す構成図である。
【図２４】図２４はこの発明の実施の形態３に係るバストカップ部を有する女性用衣料としてのブラジャーの要部を示す構成図である。
【図２５】図２５はこの発明の実施の形態４に係るバストカップ部を有する女性用衣料としてのブラジャーを示す構成図である。
【図２６】図２６はこの発明の実施の形態４に係るバストカップ部を有する女性用衣料としてのブラジャーに使用されるワイヤーを示す平面構成図である。
【図２７】図２７はワイヤーを示す斜視構成図である。
【図２８】図２８はワイヤーを示す正面構成図である。
【図２９】図２９はワイヤーを示す断面構成図である。
【図３０】図３０はワイヤーを示す断面構成図である。
【図３１】図３１はワイヤーを示す断面構成図である。
【図３２】図３２はワイヤーを示す断面構成図である。
【図３３】図３３はワイヤーを示す断面構成図である。
【図３４】図３４はワイヤーの使用状態を示す模式図である。
【図３５】図３５はワイヤーを使用したブラジャー示す模式図である。
【図３６】図３６はワイヤーを示す平面構成図である。
【図３７】図３７はこの発明に係るバストカップ部を有する女性用衣料としてのブラジャーを示す構成図である。
【図３８】図３８は従来のブラジャーを構成する身頃体を示す平面構成図である。
【符号の説明】
【０１２３】
１：ブラジャー、２，３：左右のバストカップ部、２４，２５：分割線、２６：前面側のバストカップパネル（身頃体）、２７：背面側のバストカップパネル（身頃体）。
【図１】
2010138521.tif 000003
【図２】
2010138521.tif 000004
【図３】
2010138521.tif 000005
【図４】
2010138521.tif 000006
【図５】
2010138521.tif 000007
【図６】
2010138521.tif 000008
【図７】
2010138521.tif 000009
【図８】
2010138521.tif 000010
【図９】
2010138521.tif 000011
【図１０】
2010138521.tif 000012
【図１１】
2010138521.tif 000013
【図１２】
2010138521.tif 000014
【図１３】
2010138521.tif 000015
【図１４】
2010138521.tif 000016
【図１５】
2010138521.tif 000017
【図１６】
2010138521.tif 000018
【図１７】
2010138521.tif 000019
【図１８】
2010138521.tif 000020
【図１９】
2010138521.tif 000021
【図２０】
2010138521.tif 000022
【図２１】
2010138521.tif 000023
【図２２】
2010138521.tif 000024
【図２３】
2010138521.tif 000025
【図２４】
2010138521.tif 000026
【図２５】
2010138521.tif 000027
【図２６】
2010138521.tif 000028
【図２７】
2010138521.tif 000029
【図２８】
2010138521.tif 000030
【図２９】
2010138521.tif 000031
【図３０】
2010138521.tif 000032
【図３１】
2010138521.tif 000033
【図３２】
2010138521.tif 000034
【図３３】
2010138521.tif 000035
【図３４】
2010138521.tif 000036
【図３５】
2010138521.tif 000037
【図３６】
2010138521.tif 000038
【図３７】
2010138521.tif 000039
【図３８】
2010138521.tif 000040